(57)【要約】【課題】理美容院でパーマを施した後、ロッドに係止固定されている輪ゴムを爪で引っ掛け、指でつまんで取外していた作業は、衛生上爪を短く切っている理美容師には時間のかかる作業になっている。爪状に突起したフックで輪ゴムを引っ掛け、カラビナの中に輪ゴムを入れ横にカラビナをスライドさせることで、ロッドから輪ゴムを取外し、カラビナの中に溜まった輪ゴムを取る際、コマが回転することでスムーズに輪ゴムを取り、取外し作業の効率を上げることを目的としている。【解決手段】  上記課題を解決するため、本発明は、金属素材又は合成樹脂素材を爪状に突起したフックをカラビナの開閉部ストッパ部に一体化させたことを特徴とする。また、本発明はカラビナ開閉部揺動体の係合部側開口部突起部にコマを設け、一体化したことを特徴とする。更に本発明は金属素材又は合成樹脂素材でカラビナと一体化で構成されることを特徴とする。【選択図】図１
2018126226.tif 000002
【特許請求の範囲】
【請求項１】
外方に付勢された揺動体と前記揺動体の先端部に当接して、前記揺動体を制止するストッパ部とを、一部に有する環状体を備え、前記ストッパ部は、前記揺動体の外側に延び、前記揺動体の前記先端部に当接する爪状のフックを有する、輪ゴム外し器具。
【請求項２】
前期揺動体は前記先端部に回転自在に軸支され、前記フックに当接する回転体を有する、請求項１に記載の輪ゴム外し器具。
【請求項３】
前期環状体は前記揺動体を除き、前記フックを含めて一体に構成されている、請求項１又は２に記載の輪ゴム外し器具。
【発明の詳細な説明】
【技術分野】
【０００１】
本発明は理美容院等においてパーマを施術した時に、ロッドに巻き付けた頭髪を輪ゴムによって係止固定されている輪ゴムを外す作業に際していた不具合を解決することができる輪ゴム外し器具に関する。          
【背景技術】
【０００２】
理美容院において顧客の頭髪にカールやウェーブを形成するためにパーマをかける場合には、適量の毛髪束を円筒状のロッドに巻き付けてから輪ゴムを用いて毛髪束をロッドに固定する作業が行われる。従来からロッドを係止固定する輪ゴムについては作業性を改善するために種々の提案がなされている（例えば、特許文献１参照。）従来パーマ施術後、ロッドから輪ゴムを爪で引っ掛けて、指でつまんで取外す作業又、取り外した輪ゴムを洗う作業は、理美容師の手作業で行われ、理美容師の作業量、労働をいたずらに増大させる結果をもたらしている。
【先行技術文献】
【特許文献】
【０００３】
【特許文献１】特開２００６−０６８３３２  公報
【発明の概要】
【発明が解決しようとする課題】
【０００４】
本発明は上記に鑑みてなされたものであり、理美容院で頭髪にパーマを施した後、ロッドに巻き付けた頭髪束を輪ゴムによって係止固定されている状態から、輪ゴムを爪で引っ掛けて、指でつまんで取外していた作業は、衛生上爪を短く切っている理美容師にはいたずらに時間のかかる作業になっている。爪状に突起したフックで輪ゴムを引っ掛け、カラビナの中に輪ゴムを入れ横にカラビナをスライドさせることで、連続してロッドから輪ゴムを取外し、カラビナの中に溜まった輪ゴムをカラビナごと洗い乾かし、又乾いた輪ゴムをカラビナから取る際、コマが回転することでスムーズに輪ゴムをまとめて取ることができ、取外し作業の効率を上げることを目的としている。
【課題を解決するための手段】
【０００５】
上記課題を解決するため、請求項１記載の発明は、金属素材又は合成樹脂素材で爪状に突起したフックをカラビナ本体ストッパ部に一体化させたことを特徴とする。
請求項２記載の発明は請求項１においてカラビナ揺動体の開口部突起部にコマを設け、一体化したことを特徴とする。
請求項３記載の発明は請求項１又は２において金属素材又は合成樹脂素材でカラビナと一体化で構成されることを特徴とする。
【発明の効果】
【０００６】
請求項１の発明によれば、パーマ施術後、従来の単なる輪ゴムを爪で引っ掛け、指でつまんで外していた手作業に代えて、輪ゴムを爪状に突起したフックで引っ掛けてカラビナの中に輪ゴムを入れ、スライドさせることで容易に連続して輪ゴムを外すことができ、カラビナの中に輪ゴムを溜めることができる。
請求項２の発明によれば、カラビナの中に貯まった輪ゴムをコマが回転することで、容易にまとめて輪ゴムを取り出すことができる。
請求項３の発明によれば、金属素材又は合成樹脂素材で一体型で構成されているので、操作性が良好であり、かつ耐久性も確保でき、シンプル化して低コスト化することが可能になる。
【図面の簡単な説明】
【０００７】
【図１】本発明の実施形態を示す輪ゴム外し器具全体の構成図
【図２】同輪ゴム外し器具全体の斜系図
【図３】同輪ゴム外し器具全体の正面図
【図４】同輪ゴム外し器具全体の側面図
【図５】同揺動体の構成図
【図６】同揺動体の斜視図
【図７】同輪ゴム外し器具の実施例図
【図８】同輪ゴム外し器具の実施途中の図
【図９】同輪ゴム外し器具の実施後の図
【発明を実施するための形態】
【０００８】
本発明を実施するための形態は、輪ゴム外し器具をカラビナ本体と揺動体によって構成し、本体の一端にピンによって揺動体を軸支し、カラビナ本体ストッパ部に爪状の突起したフックを構成し、カラビナ本体と揺動体とをピンで軸支した揺動体の反対側の自由端に開口部を設けると共に自由端の上部両側に突起部を設け、その間にピンで軸支した回転するコマを設けた輪ゴム外し器具である。
【０００９】
以下、本実施形態を図に基づいて説明する。
図１は輪ゴム外し器具全体の構成図、図２は輪ゴム外し器具全体の斜系図、図３は輪ゴム外し器具全体の正面図、図４は輪ゴム外し器具全体の側面図、図５は揺動体の構成図、図６は揺動体の斜視図、図７は輪ゴム外し器具の実施例図、図８は輪ゴム外し器具の実施途中の図、図９は輪ゴム外し器具の実施後の図。
【００１０】
図１に示すように、本実施形態の輪ゴム外し器具は、円柱状の金属素材あるいは合成樹脂素材からなる直径６〜７ｃｍ程度の変形した楕円形状であり、カラビナ本体１と、その一端部に取り付けた揺動体２からなる。大きさ、形状等は本実施例に限らず任意に決定できる。
【００１１】
図２で示すように、カラビナ本体１の一端部を平板状にしてピン固定部６を構成する。このピン固定部６にピン５によって揺動体２の端部を回動自在に軸支する。
一方、カラビナ本体１の他端部には爪状に突起したフック３を構成してある。この爪状に突起したフック３はカラビナ本体１の外側に向かって斜面を形成し、コマ４との当接部８を構成している。
【００１２】
揺動体２は図６で示すように、揺動体２の下端部に前記ピン固定部６が嵌合する開口部１１を構成すると共に、上端部開口部１０の両側に突起部７を設け、前記突起部７の間にピン５で軸支した回転するコマ４を設けている。
【００１３】
本実施形態では、図５が示すように、揺動体２の直径９を８ｍｍ程度とし、上端部開口部１０の両側に設けた突起部７の長さを１ｃｍ程度とした。また、開口部１０、開口部１１共に開口部の間幅を４ｍｍ程度とし、コマ４の幅を３ｍｍ程度、直径を１ｃｍ程度とした。突起部７の長さ、幅、形状また、コマの直径、幅等は本実施例に限らずカラビナ本体１の大きさ、形状等により任意に決定できる。
【００１４】
次に本実施形態の動作について説明する。
図７示す揺動体２の閉塞状態から、爪状に突起したフック３で輪ゴム２１を引っ掛けて、揺動体２を輪ゴム２１がカラビナ本体１の内側に押して通ることで、当接部８を開き、輪ゴム２１がカラビナ本体１の中に入る。
その後、揺動体２が回動して開口部１０、突起部７に設けたコマ４がカラビナ本体１の爪状に突起したフック３の当接部８に当接して閉塞する。
揺動体２の内部には、図示しないスプリングが装着されており、このスプリングによって揺動体２は常に閉塞位置方向に付勢されている。
【００１５】
次に本実施形態の効果について説明する。
図８の様に、ロッド２０に輪ゴム２１がかかっている状態から、爪状に突起したフック３で輪ゴム２１を引っ掛けて、コマ４を構成している揺動体２を輪ゴム２１が押し当接部８を開き、コマ４が回転する事で輪ゴム２１をカラビナ本体１の中にスムーズに通し、その状態からカラビナ本体１を横にスライドさせる事でロッド２０から輪ゴム２１を取り外す事が出来る。その作業を連続して行う事でカラビナ本体１の中に輪ゴム２１を溜め、図９の様になり、そのまま洗う事が出来る。
【００１６】
このようにして、今まで手作業で行われていたロッド２０から輪ゴム２１を取り外す作業を、輪ゴム外し器具を使う事で効率化し時間短縮する事が出来る。
【符号の説明】
【００１７】
１  カラビナ本体
２  揺動体
３  爪状に突起したフック
４  コマ
５  ピン
６  ピン固定部
７  突起部
８  当接部
９  直径
１０  開口部
１１  開口部
２０  ロッド
２１  輪ゴム
【図１】
2018126226.tif 000003
【図２】
2018126226.tif 000004
【図３】
2018126226.tif 000005
【図４】
2018126226.tif 000006
【図５】
2018126226.tif 000007
【図６】
2018126226.tif 000008
【図７】
2018126226.tif 000009
【図８】
2018126226.tif 000010
【図９】
2018126226.tif 000011
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
外方に付勢された揺動体と前記揺動体の先端部に当接して、前記揺動体を制止するストッパ部とを、一部に有する環状体を備え、前記ストッパ部は、前記揺動体の外側に延び、前記揺動体の前記先端部に当接する爪状のフックを有する、輪ゴム外し器具。
【請求項２】
前記揺動体は前記先端部に回転自在に軸支され、前記フックに当接する回転体を有する、請求項１に記載の輪ゴム外し器具。
【請求項３】
前記環状体は前記揺動体を除き、前記フックを含めて一体に構成されている、請求項１又は２に記載の輪ゴム外し器具。
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
外方に付勢された揺動体と前記揺動体の先端部に当接して、前記揺動体を制止するストッパ部とを、一部に有する環状体を備え、前記ストッパ部は、前記揺動体の外側に延び、前記揺動体の前記先端部に当接する爪状のフックを有し、前記揺動体は前記先端部に回転自在に軸支され、前記フックに当接する回転体を有する、輪ゴム外し器具。
【請求項２】
前記環状体は前記揺動体を除き、前記フックを含めて一体に構成されている、請求項１に記載の輪ゴム外し器具。